(57)【要約】【課題】商品情報を詳細に表現した上で、指定した条件に合致する商品を検索できるようにする。【解決手段】商品情報登録手段１１は、商品に関する売り手と買い手の条件が条件項目および条件値にて表現された商品情報を登録し、合致商品情報検索手段１２は、条件項目に基づいて商品間の類似度を算出し、商品間の類似度が閾値を越える商品について、条件値に基づいて商品間の合致度を算出し、その合致度に基づいて、売り手と買い手の条件が合致する商品を検索し、合致商品情報提示手段１３は、合致商品情報検索手段にて検索された商品に関する情報を提示する。【選択図】      図１
2007293696.tif 000002
【特許請求の範囲】
【請求項１】
商品に関する売り手と買い手の条件が条件項目および条件値にて表現された商品情報を登録する商品情報登録手段と、
前記条件項目および条件値の参照結果に基づいて、売り手と買い手の条件が合致する商品を検索する合致商品情報検索手段と、
前記合致商品情報検索手段にて検索された商品に関する情報を提示する合致商品情報提示手段とを備え、
前記合致商品情報検索手段は、
前記条件項目間の類似度を算出する類似度算出手段と、
前記条件項目間の類似度に基づいて前記条件値を比較し、前記商品間の合致性を判断する合致性判断手段とを備えることを特徴とする商品検索装置。
【請求項２】
商品に関する売り手と買い手の条件が条件項目および条件値にて表現された商品情報を登録するステップと、
前記条件項目間の類似度を算出するステップと、
前記条件項目間の類似度に基づいて前記条件値を比較し、前記商品間の合致性を判断するステップと、
前記商品間の合致性の判断結果に基づいて、売り手と買い手の条件が合致する商品を検索するステップと、
前記検索された商品に関する情報を提示するステップとを備えることを特徴とする商品検索方法。
【請求項３】
商品に関する売り手と買い手の条件が条件項目および条件値にて表現された商品情報を登録するステップと、
前記条件項目間の類似度を算出するステップと、
前記条件項目間の類似度に基づいて前記条件値を比較し、前記商品間の合致性を判断するステップと、
前記商品間の合致性の判断結果に基づいて、売り手と買い手の条件が合致する商品を検索するステップと、
前記検索された商品に関する情報を提示するステップとをコンピュータに実行させることを特徴とする商品検索プログラム。
【発明の詳細な説明】
【技術分野】
【０００１】
本発明は商品検索装置および商品検索方法に関し、特に、オークションの利用者が自由な条件を商品に設定し、買いたい商品または売りたい商品に合致した商品を自動的に検索しながら、オークションに参加できる方法に適用して好適なものである。
【背景技術】
【０００２】
従来のネットオークションでは、参加者はインターネットを介して希望する商品がネットオークションに掲載されているかどうかをその都度調べ、希望する商品が掲載されている場合に、そのネットオークションに参加することが行われている。
また、例えば、特許文献１には、オークションの参加希望者の端末から送信された購入希望の商品や連絡先を含む参加情報を登録するとともに、オークション用の商品を提供する提供者の端末から送信されたオークションにかける商品情報を登録し、オークション参加希望者の希望する商品が商品情報に登録されているかいないかを検索し、オークション参加希望者の希望する商品が登録されていることを検出した時に該当の商品がある旨をオークション参加希望者に通知する方法が開示されている。
【特許文献１】特開２００２−９９７７８号公報
【発明の開示】
【発明が解決しようとする課題】
【０００３】
しかしながら、特許文献１に開示された方法では、オークションに掲載された商品が持つ機能の比較が行われていないため、条件を自由に指定して商品を検索することができないという問題があった。
この商品の機能を表現するために、ネットショッピングで用いられている定型フォーマットを使用することが考えられるが、次々に市場に投入される多種多様な商品に対応することは、オークションの主催者側にとって負担が大きく、商品カテゴリごとに定型フォーマットを準備できたとしても、利用者の商品へのこだわりは取捨されるという問題がある。
【０００４】
さらに、定型フォーマットを準備することなく、自然言語にて商品情報を詳細に記述する方法も考えられるが、この方法による商品検索では単語によるキーワード検索に留まり、商品の機能を比較して同等の商品を検索することが困難であるという問題がある。
そこで、本発明の目的は、商品情報を詳細に表現した上で、指定した条件に合致する商品を検索することが可能な商品検索装置、商品検索方法および商品検索プログラムを提供することである。
【課題を解決するための手段】
【０００５】
上述した課題を解決するために、請求項１記載の商品検索装置によれば、商品に関する売り手と買い手の条件が条件項目および条件値にて表現された商品情報を登録する商品情報登録手段と、前記条件項目および条件値の参照結果に基づいて、売り手と買い手の条件が合致する商品を検索する合致商品情報検索手段と、前記合致商品情報検索手段にて検索された商品に関する情報を提示する合致商品情報提示手段とを備え、前記合致商品情報検索手段は、前記条件項目間の類似度を算出する類似度算出手段と、前記条件項目間の類似度に基づいて前記条件値を比較し、前記商品間の合致性を判断する合致性判断手段とを備えることを特徴とする。
【０００６】
また、請求項２記載の商品検索方法によれば、商品に関する売り手と買い手の条件が条件項目および条件値にて表現された商品情報を登録するステップと、前記条件項目間の類似度を算出するステップと、前記条件項目間の類似度に基づいて前記条件値を比較し、前記商品間の合致性を判断するステップと、前記商品間の合致性の判断結果に基づいて、売り手と買い手の条件が合致する商品を検索するステップと、前記検索された商品に関する情報を提示するステップとを備えることを特徴とする。
【０００７】
また、請求項３記載の商品検索プログラムによれば、商品に関する売り手と買い手の条件が条件項目および条件値にて表現された商品情報を登録するステップと、前記条件項目間の類似度を算出するステップと、前記条件項目間の類似度に基づいて前記条件値を比較し、前記商品間の合致性を判断するステップと、前記商品間の合致性の判断結果に基づいて、売り手と買い手の条件が合致する商品を検索するステップと、前記検索された商品に関する情報を提示するステップとをコンピュータに実行させることを特徴とする。
【発明の効果】
【０００８】
以上説明したように、本発明によれば、売り手と買い手が条件項目および条件値を自由に設定することが可能となり、様々の商品の機能を表現することが可能となるとともに、売り手と買い手の商品へのこだわりを表現することができる。また、条件項目間の類似度を算出した上で、商品間の合致性を判断することにより、条件項目が自由に表現されている場合においても、指定した条件に合致する機能を有する商品を検索することが可能となる。このため、多種多様な商品が次々に市場に投入される場合においても、売り手と買い手の負担の増大を抑制しつつ、売り手と買い手の条件に合致した商品を効率よく検索することができ、ネットオークションの利便性を向上させることができる。
【発明を実施するための最良の形態】
【０００９】
以下、本発明の実施形態に係る商品検索装置について図面を参照しながら説明する。
図１は、本発明の一実施形態に係るオークションサーバの概略構成を示すブロック図である。
図１において、オークションサーバ１には、商品情報データベース１０、商品情報登録手段１１、合致商品情報検索手段１２および合致商品情報提示手段１３が設けられ、合致商品情報検索手段１２には、類似度算出手段１２ａおよび合致性判断手段１２ｂが設けられている。ここで、商品情報登録手段１１は、商品に関する売り手と買い手の条件が条件項目および条件値にて表現された商品情報を登録することができる。なお、条件項目としてはメタデータを用いることができ、条件値は条件項目にて区分された商品の属性を表すことができる。また、条件項目および条件値は売り手と買い手が自由に設定することができる。
【００１０】
商品情報データベース１０は、商品情報登録手段１１にて登録された商品情報を保持することができる。合致商品情報検索手段１２は、条件項目および条件値の参照結果に基づいて、売り手と買い手の条件が合致する商品を検索することができる。合致商品情報提示手段１３は、合致商品情報検索手段にて検索された商品に関する情報を提示することができる。また、類似度算出手段１２ａは、条件項目間の類似度を算出することができる。合致性判断手段１２ｂは、前記条件項目間の類似度に基づいて前記条件値を比較し、商品間の合致性を判断することができる。
【００１１】
そして、利用者がネットオークションに参加する場合、インターネットなどのネットワークを介してオークションサーバ１にアクセスし、オークションサーバ１に商品登録要求を行う（Ｐ１）。なお、商品登録要求では、利用者は、条件項目および条件値にて商品を自由に表現することができる。そして、商品情報登録手段１１は、ネットオークションの利用者からの商品登録要求を受け付けると、商品情報データベース１０に商品情報を登録し（Ｐ２）、合致商品情報検索手段１２に合致する商品の検索要求を送る（Ｐ３）。
【００１２】
そして、合致商品情報検索手段１２は、商品情報登録手段１１からの検索要求を受け取った時または定期的に商品情報データベース１０から商品情報を読み込み（Ｐ４）、売り手と買い手の条件が合致する商品を検索する。ここで、合致商品情報検索手段１２は、条件項目間の類似度に基づいて条件値を比較することで商品間の合致性を判断し、その合致度に基づいて、売り手と買い手の条件が合致する商品を検索することができる。そして、合致商品情報検索手段１２は、売り手と買い手の条件が合致する商品を検索すると、その検索結果を商品情報データベース１０に書き込む（Ｐ５）。
【００１３】
そして、合致商品情報提示手段１３は、利用者からの検索結果の提示要求を受け付けると（Ｐ６）、売り手と買い手の条件が合致した商品に関する情報を読み込み（Ｐ７）、その商品に関する情報を利用者に提示する（Ｐ８）。
これにより、売り手と買い手が条件項目および条件値を自由に設定することが可能となり、様々の商品の機能を表現することが可能となるとともに、売り手と買い手の商品へのこだわりを表現することができる。また、条件項目間の類似度を算出した上で、商品間の合致性を判断することにより、条件項目が自由に表現されている場合においても、指定した条件に合致する機能を有する商品を検索することが可能となる。このため、多種多様な商品が次々に市場に投入される場合においても、売り手と買い手の負担の増大を抑制しつつ、売り手と買い手の条件に合致した商品を効率よく検索することができ、ネットオークションの利便性を向上させることができる。
【００１４】
また、オークションサーバ１は、買いたい商品の条件を収集することで、ある商品で使われる条件項目の使用頻度のランキングを作成することができる。このため、ネットオークションの利用者がどのような条件項目を重要視しているかを判断することが可能となるとともに、このような情報を提供することができる。
また、オークションサーバ１は、同じ条件項目で用いられる条件値の統計をとることで、ある商品に関してどのような条件値が望まれているかを確認することが可能となるとともに、このような情報を提供することができる。
さらに、オークションサーバ１は、ある商品で頻繁に使われる条件項目を利用者に提示することで、商品を表現する手助けを行うことが可能となるとともに、条件項目のマッピング精度を向上させることができる。
【００１５】
図２は、本発明の一実施形態に係る商品情報データベースの概略構成を示す図である。
図２において、商品情報データベース１０には、買いたい商品情報一覧２０、売りたい商品情報一覧２１および利用者情報一覧２２が格納されている。ここで、買いたい商品情報一覧２０には商品情報２３ａのリストが記述され、商品情報２３ａは、商品に関する買い手の条件を条件項目および条件値に分けて表現することができる。また、売りたい商品情報一覧２１には商品情報２３ｂのリストが記述され、商品情報２３ｂは、商品に関する売り手の条件を条件項目および条件値に分けて表現することができる。利用者情報一覧２２には、利用者情報２４のリストが記述され、利用者情報２４は、ネットオークションに参加する利用者に関する情報を含むことができる。
【００１６】
図３は、本発明の一実施形態に係る商品情報の内容を示す図である。
図３において、商品情報２３ａ、２３ｂは、システム管理商品情報３０、商品表現３１および対応商品ＩＤ３２を含むことができる。ここで、システム管理商品情報３０には、オークションサーバ１が商品を管理するためのデータを記述することができ、例えば、商品ＩＤや利用者ＩＤなどを記述することができる。商品表現３１には、条件項目として設定されるメタデータと条件値とがペアとして記述されたリストを記述することができる。例えば、メタデータと条件値とをペアとして商品を記述することにより、値段が１２００００円以下、メモリが５１２ＭＢ以上の黒いノートパソコンを表現することができる。なお、メタデータと条件値とのペアの順序によって、商品の条件の優先度を表すようにしてもよい。対応商品ＩＤ３２には、商品情報検索手段１２にて検索された合致する商品のＩＤを記述することができる。
【００１７】
図４は、本発明の一実施形態に係る利用者情報の内容を示す図である。
図４において、利用者情報２４は、システム管理利用者情報４０および登録商品ＩＤ４１を含むことができる。ここで、システム管理利用者情報４０には、オークションサーバ１が利用者を管理するためのデータを記述することができ、例えば、利用者ＩＤや名前、その利用者のメールアドレスなどを記述することができる。登録商品ＩＤ４１には、利用者が登録した商品を特定するためのＩＤを、売りたい商品および買いたい商品に分けて記述することができる。
【００１８】
図５は、本発明の一実施形態に係る商品情報を登録する入力画面の構成例を示す図である。
図５において、商品情報登録手段入力画面５０には、条件ペアリスト入力欄５３が設けられ、条件ペアリスト入力欄５３には、条件項目として設定されるメタデータを入力するメタデータ入力欄５１および条件値を入力する条件値入力欄５２がペアとして設けられている。また、商品情報登録手段入力画面５０には、条件ペアリスト入力欄５３に記入された内容を買いたい商品の条件としてオークションサーバ１に指定する買い登録ボタン５４、条件ペアリスト入力欄５３に記入された内容を売りたい商品の条件としてオークションサーバ１に指定する売り登録ボタン５５、メタデータ入力欄５１と条件値入力欄５２とをペアとして条件ペアリスト入力欄５３に新たに追加する条件追加ボタン５６が設けられている。
【００１９】
また、メタデータ入力欄５１と条件値入力欄５２とをペアとして選択する条件ペア選択ボタン５７、条件ペア選択ボタン５７にて選択されたメタデータ入力欄５１と条件値入力欄５２とのペアの優先度を上下させる条件順序変更ボタン５８を設けるようにしてもよい。さらに、商品情報データベース１０に登録されている商品情報２３ａ、２３ｂのうち、頻繁に使われるメタデータを表示するお勧め条件追加ボタン５９を設けるようにしてもよい。ここで、お勧め条件追加ボタン５９を押すことで表示されたメタデータを選択すると、そのメタデータが入力されたメタデータ入力欄５１と条件値入力欄５２とがペアとして、条件ペアリスト入力欄５３に追加される。
【００２０】
そして、利用者がインターネットなどのネットワークを介してオークションサーバ１にアクセスすると、商品情報登録手段入力画面５０が利用者端末に表示される。そして、利用者は、商品情報登録手段入力画面５０上において、メタデータおよび条件値をメタデータ入力欄５１および条件値入力欄５２にそれぞれ入力し、買い登録ボタン５４を押すと、メタデータ入力欄５１および条件値入力欄５２にそれぞれ入力されたメタデータおよび条件値が買いたい商品の条件としてオークションサーバ１に送信される。そして、オークションサーバ１は、買いたい商品の条件としてメタデータおよび条件値を受信すると、図１の商品情報登録手段１１は、図３の商品情報２３ａを新たに作成し、その商品情報２３ａを図２の買いたい商品情報一覧２０に追加する。
【００２１】
また、利用者は、商品情報登録手段入力画面５０上において、メタデータおよび条件値をメタデータ入力欄５１および条件値入力欄５２にそれぞれ入力し、売り登録ボタン５５を押すと、メタデータ入力欄５１および条件値入力欄５２にそれぞれ入力されたメタデータおよび条件値が売りたい商品の条件としてオークションサーバ１に送信される。そして、オークションサーバ１は、売りたい商品の条件としてメタデータおよび条件値を受信すると、図１の商品情報登録手段１１は、図３の商品情報２３ｂを新たに作成し、その商品情報２３ｂを図２の売りたい商品情報一覧２１に追加する。
【００２２】
図６は、図１の合致商品情報検索手段１２で行われる商品情報検索処理の一例を示すフローチャートである。
図６において、合致商品情報検索手段１２は、新しい商品Ｉ１が商品情報登録手段１１にて登録されると（ステップＳ１）、その商品Ｉ１の商品情報を参照することにより、その商品Ｉ１が買いたい商品であるか、売りたい商品であるかを判断する（ステップＳ２）。
【００２３】
そして、商品Ｉ１が買いたい商品である場合、商品情報データベース１０の売りたい商品情報一覧２１を参照することにより、商品情報データベース１０から売りたい商品Ｉ２を選択する（ステップＳ３）。そして、売りたい商品情報一覧２１に登録されている全ての商品Ｉ２について（ステップＳ６）、買いたい商品Ｉ１と売りたい商品Ｉ２との合致性の判断を行い（ステップＳ４）、買いたい商品Ｉ１と売りたい商品Ｉ２とが合致した場合、その売りたい商品Ｉ２を検索結果リストに入れる（ステップＳ５）。
【００２４】
一方、商品Ｉ１が売りたい商品である場合、商品情報データベース１０の買いたい商品情報一覧２０を参照することにより、商品情報データベース１０から買いたい商品Ｉ３を選択する（ステップＳ３´）。そして、買いたい商品情報一覧２０に登録されている全ての商品Ｉ３について（ステップＳ６´）、売りたい商品Ｉ１と買いたい商品Ｉ３との合致性の判断を行い（ステップＳ４´）、売りたい商品Ｉ１と買いたい商品Ｉ３とが合致した場合、その買いたい商品Ｉ３を検索結果リストに入れる（ステップＳ５´）。
次に、検索結果リストに入れられた商品Ｉ２、Ｉ３の商品ＩＤを商品Ｉ１の対応商品ＩＤ３２に追加するとともに、検索結果リストに入れられた商品Ｉ２、Ｉ３の対応商品ＩＤ３２に商品Ｉ１の商品ＩＤを追加する（ステップＳ７）。
【００２５】
図７は、図１の合致商品情報検索手段１２で行われる合致判断処理の一例を示すフローチャート、図８（ａ）は、商品に付されたメタデータ間の類似度が記述された類似度表を示す図、図８（ｂ）は、買いたい商品と売りたい商品との間の対応関係が記述された対応リストを示す図である。
図７において、商品情報データベース１０に登録されている売りたい商品のメタデータと買いたい商品のメタデータの全ての組み合わせについて類似度の計算を行い、図８（ａ）に示すように、メタデータ間の類似度表７０を作成する（ステップＳ１０）。
【００２６】
なお、メタデータ間の類似度は、例えば、シソーラスにおけるメタデータ間のパスの長さに基づいて計算することができる（川島貴広，石川勉：“言葉の意味に関する類似性判別能力における概念ベースとシソーラスとの性能比較”，情報処理学会第６５回全国大会，２Ｍ−１，ｐｐ．２−１３５−２−１３６（２００４））。ここで、シソーラスとは、ｉｓ−ａ、ｋｉｎｄ−ｏｆの関係で概念群を木構造化したものである。そして、メタデータ間の類似度は、例えば、シソーラスに属するメタデータ間の木構造上の距離ｋを用いることにより、１／（ｋ＋１）にて計算することができる。
【００２７】
また、メタデータ間の類似度は、メタデータの共起頻度に基づく統計的手法にて求めることもできる（Ｔｅｒｒａ，Ｅ．Ｌ．，Ｃｌａｒｋｅ，Ｃ．２００３．Ｆｒｅｑｕｅｎｃｙ  Ｅｓｔｉｍａｔｅｓ  ｆｏｒ  Ｓｔａｔｉｓｔｉｃａｌ  Ｗｏｒｄ  Ｓｉｍｉｌａｒｉｔｙ  Ｍｅａｓｕｒｅｓ．Ｉｎ  ｔｈｅ  Ｐｒｏｃｅｅｄｉｎｇｓ  ｏｆ  ｔｈｅ  ２００３  Ｈｕｍａｎ  Ｌａｎｇｕａｇｅ  Ｔｅｃｈｎｏｌｏｇｙ  Ｃｏｆｅｒｅｎｃｅ，ｐｐ．２４４−２５１．Ｅｄｍｏｎｔｏｎ，Ｃａｎａｄａ，Ｍａｙ）。この方法では、ある文章を固定長のウィンドウサイズで区切ったときに、２つのメタデータｗ１、ｗ２がいくつのウィンドウに現れるかの生起確率をそれぞれｐ（ｗ１）、ｐ（ｗ２）、２つのメタデータｗ１、ｗ２が同時に現れる共起確率をｐ（ｗ１、ｗ２）とすると、メタデータ間の類似度は、ｐ（ｗ１、ｗ２）／（ｐ（ｗ１）＊ｐ（ｗ２））にて計算することができる。
【００２８】
次に、類似度表７０に登録された全ての類似度がしきい値以下かどうかを判断し（ステップＳ１１）、類似度表７０に登録された全ての類似度がしきい値以下でない場合、類似度が最大のメタデータの組み合わせを選択し、図８（ｂ）の対応リスト７１に入れる（ステップＳ１２）。そして、対応リスト７１に入れられたメタデータの行と列を類似度表７０から削除する（ステップＳ１３）。
一方、ステップＳ１１において、類似度表７０に登録された全ての類似度がしきい値以下である場合、メタデータの組み合わせが対応リスト７１にあるかどうかを判断し（ステップＳ１４）、メタデータの組み合わせが対応リスト７１に存在しない場合は、売りたい商品と買いたい商品とは合致していないとみなす。
【００２９】
一方、ステップＳ１４において、メタデータの組み合わせが対応リスト７１にある場合、それらのメタデータに対応する条件値を取り出し（ステップＳ１５）、それらの全ての条件値がメタデータの組み合わせごとに合致しているかどうかを判断する（ステップＳ１６）。
そして、それらの全ての条件値がメタデータの組み合わせごとに合致しているならば、売りたい商品と買いたい商品とは合致しているとみなし、それらの全ての条件値がメタデータの組み合わせごとに合致していないならば、売りたい商品と買いたい商品とは合致していないとみなす。
【００３０】
図９は、図１の合致商品情報提示手段１３で行われる商品検索結果提示処理の一例を示すフローチャートである。
図９において、合致商品情報検索手段１２にて商品の検索が行われるか、あるいは利用者が有する商品に合致する商品の提示要求を受け付けると（ステップＳ２０）、合致商品情報提示手段１３は、その商品についての対応商品ＩＤ３２を参照することにより、その商品に合致する商品を特定し、これらの商品の合致度を計算する（ステップＳ２１）。ここで、合致度は、商品間で互いに合致したメタデータと条件値との条件ペアの数に条件ペアの優先度に応じた重みを付けて計算することができる。例えば、条件ペアがｓ個あった場合、優先度がｔ番目の条件ペアの重みはｔ／ｓとすることができる。
次に、合致商品情報提示手段１３は、商品の合致度の順に商品のランキングを行い（ステップＳ２２）、商品検索結果の表示画面を作成して表示する（ステップＳ２３）。
【００３１】
図１０は、本発明の一実施形態に係る商品検索結果の表示画面の構成例を示す図である。
図１０において、検索結果表示画面８１には、商品表現表示欄８２およびランキング表示欄８３が設けられている。ここで、商品表現表示欄８２には、商品間で互いに合致したメタデータと条件値との条件ペアが表示される。ランキング表示欄８３には、合致した商品の合致度、商品名、値段などがランキング順に並べて表示され、その商品の詳細へのリンクなどが表示される。そして、利用者は、検索結果表示画面８１を見ながら、売りたい商品や買いたい商品を容易に探し出すことができる。
【図面の簡単な説明】
【００３２】
【図１】本発明の一実施形態に係るオークションサーバの概略構成を示すブロック図である。
【図２】本発明の一実施形態に係る商品情報データベースの概略構成を示す図である。
【図３】本発明の一実施形態に係る商品情報の内容を示す図である。
【図４】本発明の一実施形態に係る利用者情報の内容を示す図である。
【図５】本発明の一実施形態に係る商品情報を登録する入力画面の構成例を示す図である。
【図６】図１の合致商品情報検索手段１２で行われる商品情報検索処理の一例を示すフローチャートである。
【図７】図１の合致商品情報検索手段１２で行われる合致判断処理の一例を示すフローチャートである。
【図８】図８（ａ）は、商品に付されたメタデータ間の類似度が記述された類似度表を示す図、図８（ｂ）は、買いたい商品と売りたい商品との間の対応関係が記述された対応リストを示す図である。
【図９】図１の合致商品情報提示手段１３で行われる商品検索結果提示処理の一例を示すフローチャートである。
【図１０】本発明の一実施形態に係る商品検索結果の表示画面の構成例を示す図である。
【符号の説明】
【００３３】
１  オークションサーバ
１０  商品情報データベース
１１  商品情報登録手段
１２  合致商品情報検索手段
１２ａ  類似度算出手段
１２ｂ  合致性判断手段
１３  合致商品情報提示手段
２０  買いたい商品情報一覧
２１  売りたい商品情報一覧
２２  利用者情報一覧
２３ａ、２３ｂ  商品情報
２４  利用者情報
３０  システム管理商品情報
３１  商品表現
３２  対応商品ＩＤ
４０  システム管理利用者情報
４１  登録商品ＩＤ
５０  商品情報登録手段入力画面
５１  メタデータ入力欄
５２  条件値入力欄
５３  条件ペアリスト入力欄
５４  買い登録ボタン
５５  売り登録ボタン
５６  条件追加ボタン
５７  条件ペア選択ボタン
５８  条件順序変更ボタン
５９  お勧め条件追加ボタン
７０  類似度表
７１  対応リスト
８１  検索結果表示画面
８２  商品表現表示欄
８３  ランキング表示欄
【図１】
2007293696.tif 000003
【図２】
2007293696.tif 000004
【図３】
2007293696.tif 000005
【図４】
2007293696.tif 000006
【図５】
2007293696.tif 000007
【図６】
2007293696.tif 000008
【図７】
2007293696.tif 000009
【図８】
2007293696.tif 000010
【図９】
2007293696.tif 000011
【図１０】
2007293696.tif 000012